(57)【要約】【課題】全体処理による使用と局所処理による使用の両方に適している送風式薬剤放散装置とする。【解決手段】ファン１３と薬剤１４を有し、そのファン１３を駆動することで吸込口１１から空気を吸い込んで薬剤を含有した空気として吐出口１２から吐出する装置本体１と、流入口２０と流出口２１を有した長尺な扁平な筒形状の放出体２を、ヒンジ３で折り畳み状態と開き状態に回動自在に連結し、前記折り畳み状態の時には薬剤を含有した空気が吐出口１２から外部に放出されると共に、コンパクトで全体処理による使用に適し、前記開き状態の時には薬剤を含有した空気が流入口２０から放出体２内を流入して流出口２１から外部に放出されて局所処理による使用に適するようにした送風式薬剤放散装置。【選択図】図２
2008182981.tif 000002
【特許請求の範囲】
【請求項１】
吸込口１１と吐出口１２を有した装置本体１にファン１３と薬剤１４を設け、そのファン１３を駆動することで薬剤を含有した空気を吐出口１２から吐出する送風式の薬剤放散部と、
流入口２０と流出口２１を有した長尺で扁平な放出体２を備え、
前記装置本体１と放出体２はヒンジ３で折り畳み状態と、開き状態に回動自在に連結され、
前記装置本体１と放出体２が折り畳み状態の時には、装置本体１と放出体２が重なり合い、前記吐出口１２と流入口２０が離れて吐出口１２が外部に開口し、
前記装置本体１と放出体２が開き状態の時には、前記吐出口１２と流入口２０が連通し、流出口２１は装置本体１から離隔した位置となるようにしたことを特徴とする送風式薬剤放散装置。
【請求項２】
装置本体１の上面１ａに吸込口１１が開口して上面側から空気を吸い込むようにし、
前記装置本体１と放出体２が折り畳み状態の時には、放出体２が装置本体１の下面１ｂ側に重なり合うようにした請求項１記載の送風式薬剤放散装置。
【請求項３】
装置本体１の上面１ａに吸込口１１が開口して薬剤１４が上面１ａ側に設けられ、
前記装置本体１と放出体２が折り畳み状態の時には、放出体２が装置本体１の上面１ａ側に重なり合って吸込口１１を覆うようにし、
この放出体２と装置本体１の上面１ａとの間に、吸込口１１を外部に連通する通気路４０を形成した請求項１記載の送風式薬剤放散装置。
【請求項４】
装置本体１と放出体２が開き状態の時に、その装置本体１の吐出口１２の開口端面１２ａと放出体２の流入口２０の開口端面２０ａが接して吐出口１２と流入口２０が連通するようにした請求項１〜３いずれか１項に記載の送風式薬剤放散装置。
【請求項５】
装置本体１と放出体２が開き状態の時に、その装置本体１と放出体２が一直線状となるようにした請求項１〜４いずれか１項に記載の送風式薬剤放散装置。
【請求項６】
装置本体１と放出体２が開き状態の時に、その装置本体１と放出体２が鉤形状となるようにした請求項１〜４いずれか１項に記載の送風式薬剤放散装置。
【発明の詳細な説明】
【技術分野】
【０００１】
本発明は、芳香、消臭、害虫防除、防黴防菌などの目的で使用される送風式薬剤放散装置に関する。
【背景技術】
【０００２】
従来から種々の送風式薬剤放散装置が提案されている。
例えば、特許文献１，２に記載された送風式薬剤放散装置が提案されている。
前述の特許文献１に記載された送風式薬剤放散装置は、チャンバ内に薬剤保持体とファンを設け、そのファンを駆動することで吸気口からチャンバ内に外気を取り入れ、薬剤（害虫防除成分）を含んだ空気を排気口から外部に放出するようにしてある。
前述の特許文献２に記載された送風式薬剤放散装置は、縦長で薄い扁平の容器内に、薬剤パネルとファンを設け、そのファンを駆動することで吸い込み口から空気を容器内に吸い込み、薬剤を含む空気を吹き出し口から容器外に放出するようにしてある。
【０００３】
【特許文献１】特開２００１−１９７８５６号公報
【特許文献２】登録実用新案公報第３０４０５１３号
【発明の開示】
【発明が解決しようとする課題】
【０００４】
前述した送風式薬剤放散装置を居住空間で使用する場面として、台所、居間、寝室など居室空間の全体処理による使用と、限られた部分の局所処理による使用に大別される。
前記局所処理場面として、害虫防除について、害虫が生息している場所、害虫による被害場所、例えばゴキブリ、アリなどの匍匐害虫の好む住処である暗くて湿気の多い場所（流しの排水溝など）、暗くて狭い場所（冷蔵庫、食器棚、レンジなどと床面との空間、壁面との空間、侵入口である穴など）などが挙げられる。
また、害虫個体や害虫集団、例えば蚊、ハエなどの飛翔害虫やゴキブリ、アリなどの匍匐害虫に向かって直接処理する、なども挙げられる。
【０００５】
前述した特許文献１に開示された送風式薬剤放散装置は、全体処理による使用に適するが、局所処理による使用には適さない。特に、狭い空間の処理による使用には適さない。
すなわち、特許文献１に開示した送風式薬剤放散装置のチャンバは幅広く、高い大きさであるから、狭い空間に挿入することができないので、狭い空間に薬剤を効率良く放散することができない。
【０００６】
前述した特許文献２に開示された送風式薬剤放散装置は、容器が縦長で薄い扁平であるから、狭い空間に容器を挿入して薬剤を効率良く放散することができ、前述した局所処理による使用ができる。
しかし、容器内に電池室、制御室、また薬剤パネル、ファンや外気通過路の空間を有し、その容器を薄くする（高さ寸法を小さくする）には限度があり、より狭い空間に容器を挿入できないので、局所処理による使用に十分対応できない。
また、薬剤を含む空気が縦長の容器内を流通するので、空気に含まれた薬剤が容器の内面等に付着し易く、外部に放散する薬剤の量が少なくなる恐れがあると共に、容器が縦長であるから細長い設置スペースが必要で、前述した全体処理による使用には適さない。
また、容器が縦長で大きいので持ち運びや保管が面倒である。
【０００７】
本発明の目的は、全体処理による使用と局所処理による使用の両方に適していると共に、局所処理による使用に十分対応でき、しかもコンパクトにして持ち運びや保管を容易にできるようにした送風式薬剤放散装置とすることである。
【課題を解決するための手段】
【０００８】
第１の発明は、吸込口１１と吐出口１２を有した装置本体１にファン１３と薬剤１４を設け、そのファン１３を駆動することで薬剤を含有した空気を吐出口１２から吐出する送風式の薬剤放散部と、
流入口２０と流出口２１を有した長尺で扁平な放出体２を備え、
前記装置本体１と放出体２はヒンジ３で折り畳み状態と、開き状態に回動自在に連結され、
前記装置本体１と放出体２が折り畳み状態の時には、装置本体１と放出体２が重なり合い、前記吐出口１２と流入口２０が離れて吐出口１２が外部に開口し、
前記装置本体１と放出体２が開き状態の時には、前記吐出口１２と流入口２０が連通し、流出口２１は装置本体１から離隔した位置となるようにしたことを特徴とする送風式薬剤放散装置である。
【０００９】
第２の発明は、第１の発明において、装置本体１の上面１ａに吸込口１１が開口して上面側から空気を吸い込むようにし、
前記装置本体１と放出体２が折り畳み状態の時には、放出体２が装置本体１の下面１ｂ側に重なり合うようにした送風式薬剤放散装置である。
【００１０】
第３の発明は、第１の発明において、装置本体１の上面１ａに吸込口１１が開口して薬剤１４が上面１ａ側に設けられ、
前記装置本体１と放出体２が折り畳み状態の時には、放出体２が装置本体１の上面１ａ側に重なり合って吸込口１１を覆うようにし、
この放出体２と装置本体１の上面１ａとの間に、吸込口１１を外部に連通する通気路４０を形成した送風式薬剤放散装置である。
【００１１】
第４の発明は、第１又は第２又は第３の発明において、装置本体１と放出体２が開き状態の時に、その装置本体１の吐出口１２の開口端面１２ａと放出体２の流入口２０の開口端面２０ａが接して吐出口１２と流入口２０が連通するようにした送風式薬剤放散装置である。
【００１２】
第５の発明は、第１〜第４いずれかの発明において、装置本体１と放出体２が開き状態の時に、その装置本体１と放出体２が一直線状となるようにした送風式薬剤放散装置である。
【００１３】
第６の発明は、第１〜第４いずれかの発明において、装置本体１と放出体２が開き状態の時に、その装置本体１と放出体２が鉤形状となるようにした送風式薬剤放散装置である。
【発明の効果】
【００１４】
請求項１に係る発明によれば、装置本体１と放出体２を折り畳み状態とすれば、薬剤を含有した空気は装置本体１の吐出口１２から外部に吐出され、その空気に含有した薬剤のほぼ全量を外部に放散できるし、装置本体１と放出体２が重なり合っているから小さな設置スペースで良いから、全体処理による使用に適している。
また、装置本体１と放出体２を開き状態とすれば、その放出体２を狭い空間に挿入して薬剤を効率良く放散できるので、局所処理による使用に適している。
また、放出体２を、狭い空間に対応して薄く（高さ寸法を小さく）できるので、局所処理による使用に十分に対応できる。
【００１５】
したがって、全体処理による使用と局所処理による使用の両方に適していると共に、局所処理により使用に十分に対応でき、しかもコンパクトにして持ち運びや保管を容易にできる。
【００１６】
請求項２に係る発明によれば、装置本体１と放出体２が折り畳み状態の時に、その放出体２が吸込口１１からの空気の吸い込みの妨げになることがなく、効率良く空気を吸い込みできる。
【００１７】
請求項３に係る発明によれば、装置本体１と放出体２が折り畳み状態の時に、その放出体２で薬剤１４を保護できるし、通気路４０を通して吸込口１１に空気を吸い込みできる。
【００１８】
請求項４に係る発明によれば、装置本体１と放出体２が開き状態の時に、吐出口１２から流入口２０に空気がスムーズに流れるので、薬剤を含む空気を放出体２の流出口２１から外部に確実に放散することができる。
【００１９】
請求項５に係る発明によれば、上下寸法の小さな狭い空間に放出体２を挿入して薬剤を含有した空気を吐出できるので、前述の狭い空間に薬剤を効率良く放散できる。
【００２０】
請求項６に係る発明によれば、床と物との間の左右寸法の小さな狭い空間に薬剤を放散する際に、装置本体１を縦向きとして物の側面に接近させて放出体２を小さな狭い空間に挿入できるので、装置本体１が物の側面から張り出す寸法が小さく、装置本体１が邪魔にならない。
また、物の上面に装置本体１を置いて物の背面と壁との間の小さな空間に放出体２を挿入して薬剤を放散することができる。
【発明を実施するための最良の形態】
【００２１】
本発明の第１の実施の形態を図１〜図４に基づいて説明する。
装置本体１と放出体２をヒンジ３で図１、図２に示す折り畳み状態と図３、図４に示す開き状態とに亘って回動自在に連結してある。
前記装置本体１は空気流通路１０を有し、その空気流通路１０は吸込口１１と吐出口１２で外部に開口し、ファン１３を駆動することで吸込口１１から空気を吸い込み、吐出口１２から吐出する。
前記装置本体１には薬剤１４が設けてあり、前述のファン１３を駆動することで空気流通路１０を流通する空気が薬剤１４に触れて薬剤（有効成分）を含有した空気として吐出口１２から吐出する。
要するに、装置本体１にファン１３と薬剤１４を設けることで送風式の薬剤放散部としてある。
【００２２】
前記放出体２は長尺で扁平な筒形状で、流入口２０と流出口２１を有している。
この放出体２が図１、図２に示す折り畳み状態であると、装置本体１と放出体２は重なり合い、その放出体２の流入口２０は装置本体１の吐出口１２と離れ、その吐出口１２は外部に開口する。
前記放出体２が図３、図４に示すように開き状態であると、放出体２の流入口２０と装置本体１の吐出口１２が連通し、流出口２１が装置本体１から離隔した位置となる。
【００２３】
このようであるから、装置本体１と放出体２を図１、図２に示す折り畳み状態としてファン１３を駆動することで、薬剤を含有した空気は装置本体１の吐出口１２から外部に直接放散され、その薬剤を含有した空気が流通する経路が短く、その空気に含有した薬剤が経路に付着することがなく、外部に放散する薬剤の量が少なくなることがなく、ほぼ全量の薬剤を外部に放散することが可能である。
しかも、装置本体１と放出体２が折り畳み状態で、全長が短く、設置スペースを小さくできる。
これらが相俟って、全体処理による使用に適する送風式薬剤放散装置である。
例えば、居室空間のテーブル等の上に置いて居室空間全体に薬剤を放散して居室空間の全体処理に使用する際に、その薬剤を居室空間の全体に効率良く放散することができる。
【００２４】
また、前述のように装置本体１と放出体２を折り畳み状態とすることで、装置全体がコンパクトになり、持ち運びや保管を容易にできる。
【００２５】
前記装置本体１と放出体２を図３、図４に示す開き状態としてファン１３を駆動することで、薬剤を含有した空気は装置本体１の吐出口１２から放出体２の流入口２０に流入し、その放出体２の流出口２１から外部に放散されるから、装置本体１から遠く離れた位置（流出口２１）から薬剤を外部に放散することができ、局所処理による使用に適する送風式薬剤放散装置である。
例えば、冷蔵庫、食器棚、レンジなどの物と床面との間の上下寸法の小さな狭い空間、前記物と壁面との間の左右寸法の小さな狭い空間に、放出体２を挿入して、その狭い空間の奥に向けて薬剤を含有した空気を放出することで、その狭い空間に薬剤を効率良く放散することができる。
また、放出体２は空気が流通するだけであるから、その放出体２を狭い空間に対応して薄く（高さ寸法を小さく）できるので、局所処理による使用に十分対応できる。
【００２６】
前記装置本体１の上面１ａに吸込口１１が開口して空気吸込面を装置本体１の上面１ａとし、上面１ａ側から空気を吸い込むようにしてある。
前記放出体２は装置本体１の下面１ｂ側に重なり合うようにして折り畳み状態となるようにしてある。
このようであるから、装置本体１と放出体２が折り畳み状態の時に、吸込口１１から空気を吸い込む際に放出体２が邪魔にならずに吸込口１１からスムーズに空気を吸い込むことができる。
【００２７】
前記装置本体１と放出体２を開き状態とした時に、装置本体１の吐出口１２の開口端面１２ａと放出体２の流入口２０の開口端面２０ａが接するようにしてある。
また、前述のように開口端面１２ａ，２０ａが接した状態（開き状態）で装置本体１と放出体２を保持する手段が設けてある。
例えば、装置本体１の吐出口１２の開口端面１２ａの上辺部に庇状の突片１５を設け、放出体２の流入口２０の開口端面２０ａの上辺部分２２が突片１５に接することで保持するようにしてある。
これに限ることはなく、一方の開口端面と他方の開口端面に相互に嵌まり合う突起と凹部を形成し、開き状態の時に突起と凹部が嵌まり合うようにしても良い。
【００２８】
前記ヒンジ３は、装置本体１に一体的に設けた第１突出部３０と、放出体２に一体的に設けた第２突出部３１とに亘って軸３２を挿通したものである。
前記第１突出部３０は装置本体１の下面１ｂよりも下方に突出し、第２突出部３１は放出体２の上下いずれかの面よりも突出し、この第１・第２突出部３０，３１は前述の各端面１２ａ，２０ａと上下方向に位置がずれていると共に、前記軸３２の中心（ヒンジ３の回動中心）は前記各端面１２ａ，２０ａと同一位置である。
これによって、装置本体１と放出体２を開き状態とすることで各端面１２ａ，２０ａが接する。
【００２９】
次に、各部の具体形状を説明する。
前記装置本体１は、上面板１６と下面板１７と一対の側面板１８と端面板１９で他端が開口した扁平な矩形箱形状で、その他端の開口が吐出口１２で、上面板１６に吸込口１１が形成してある。
前記装置本体１内は仕切壁１ｃでファン収容室１ｄと電池収容室１ｅに区画され、そのファン収容室１ｄにファン１３と、そのファン１３を駆動するモータ１３ａが設けてある。
前記電池収容室１ｅには電池１ｆが設けられ、この電池１ｆによってモータ１３ａが駆動される。
前記ファン収容室１ｄが吸込口１１と吐出口１２に開口連通して前述の空気流通路１０を形成している。
【００３０】
前記薬剤１４はプレート状の薬剤含浸体１４ａに含浸され、その薬剤含浸体１４ａの外周にリング体１４ｂが設けてある。
前記上面板１６の吸込口１１の周囲に沿って薬剤取付部３３が形成され、この薬剤取付部３３に薬剤１４を取付けてあると共に、カバー３４を着脱自在に設け、このカバー３４を外すことで薬剤１４を交換できるようにしてある。
前記カバー３４には空気取入口３４ａが形成してある。
【００３１】
前記放出体２は伸縮自在で、装置本体１と放出体２を折り畳み状態とする時には縮めて短くし、開き状態の時には伸ばして長くする。
例えば、放出体２は外側筒体２３に内側筒体２４をスライド自在に嵌合し、その内側筒体２４をスライドすることで伸縮自在としてある。
前記外側筒体２３がヒンジ３で装置本体１に連結される。
【００３２】
このようであるから、折り畳み状態の時には放出体２を短くして装置全体をコンパクトにでき、開き状態の時には放出体２を長くして装置本体１からより遠くに離れた場所に薬剤を含有した空気を放散できる。
【００３３】
なお、放出体２は伸縮しないものでも良いし、３つ以上の筒体をスライド自在に順次嵌合したものでも良い。
【００３４】
前記装置本体１の高さ、幅が放出体２の高さ、幅と同一であり、装置本体１の吐出口１２の開口端面１２ａと放出体２の流入口２０の開口端面２０ａがほぼ同一の大きさであるから、その両方の開口端面１２ａ，２０ａが接することで吐出口１２から放出体２の流入口２０に空気がスムーズに流れる。
【００３５】
これに限ることはなく、装置本体１、放出体２の高さ、幅は任意なものとすることができる。
例えば、装置本体１の高さよりも放出体２の高さが小さくしても良い。
このようにすれば、より狭い隙間に放出体２を挿入できる。
この場合には、装置本体１の上面板１６における吐出口１２寄りを斜めとして吐出口１２と流入口２０の高さ寸法を同一とする。
【００３６】
また、放出体２の流入口２０側部分の高さを装置本体１の高さと同一とし、その放出体２の他の部分の高さを装置本体１の高さよりも小さくしても良い。
また、放出体２の流入口２０側部分の高さを装置本体１の高さと同一とし、流出口２１側部分に向けて順次高さが小さくなった高さ方向に先細り形状としても良い。
また、放出体２の流入口２０側部分の幅を大きく、流出口２１側部分に向けて順次幅が小さくなった幅方向に先細り形状としても良い。
また、装置本体１の幅よりも放出体２の幅を小さくしても良い。この場合には吐出口１２の開口幅を小さくして放出体２の流入口２０の開口幅と同一とする。
前述のようにすることで、放出体２の流出口２１の開口面積を流入口２０の開口面積よりも小さくすれば、薬剤を含有した空気を１ヶ所に向けて集中的に放出することができる。
これによって、放出体２の流出口２１から害虫個体などの標的に向けて薬剤を確率良く放散できる。
【００３７】
また、装置本体１の下面１ｂに放出体２が嵌まり込む凹陥部を形成し、折り畳み状態の時に放出体２が凹陥部に嵌まり込んで、装置本体１と放出体２が幅方向に振れ動くことがないようにすることができる。
【００３８】
この実施の形態では、装置本体１と放出体２を折り畳み状態とした時に、図１、図２に示すように、装置本体１の下面１ｂと放出体２との間に三角形状の空間が形成されるが装置本体１の下面１ｂと放出体２を接して空間が形成されないようにしても良い。
例えば、図５、図６に示すようにヒンジ３の第１・第２突出部３０，３１を装置本体１の側面、放出体２の側面に、その側方に張り出してそれぞれ取付け、その第１・第２突出部３０，３１を軸３２で連結することで、折り畳み状態の時に装置本体１の下面１ｂと放出体２が接して空間が形成されないようにする。
【００３９】
また、前記薬剤１４（薬剤保持体１４ａ）は装置本体１の薬剤取付部３３に設けたが、この薬剤１４（薬剤保持体１４ａ）は、後述する実施の形態のように、ファン１３に設けてファン１３とともに回転するようにしても良い。
【００４０】
前記ヒンジ３は前述のように、第１・第２突出部３０，３１と軸３２で構成したが、蝶番タイプのヒンジとし、その一側羽根と他側羽根を装置本体１と放出体２にビス等で固着しても良い。
また、折り曲げ自在な可撓性のプレートでヒンジとし、そのプレートの一端部、他側部を装置本体１、放出体２にビスで固着、または一体的に設けても良い。
【００４１】
また、装置本体１と放出体２は折り畳み状態の時に装置本体１の下面１ｂと放出体２の上下いずれかの面が接し、開き状態の時にはほぼ１８０度回転して装置本体１と放出体２を一直線状となるようにしてある。
これに限ることはなく、開き状態の時に装置本体１と放出体２は９０度、６０度など任意の角度とすることができる。
【００４２】
例えば、図７に示すように装置本体１の吐出口１２の開口端面１２ａと放出体２の流入口２０の開口端面２０ａを４５度とし、その開口端面１２ａ，２０ａを接することで装置本体１と放出体２が９０度で鉤形状となるようにする。
【００４３】
要するに、装置本体１の吐出口１２の開口端面１２ａと放出体２の流入口２０の開口端面２０ａの角度を変えることによって装置本体１と放出体２の開き状態における角度を変更することができる。
【００４４】
前述のように装置本体１と放出体２を９０度として鉤形状とした場合には、例えば図８（ａ）に示すように、装置本体１を縦向きとして放出体２を横向きとし、その状態で冷蔵庫等の物Ａの側面に装置本体１を接近させ、前記物Ａの下面と床Ｂとの間の上下寸法が小さい狭い空間Ｃに放出体２を挿入して使用することができる。
これによって、装置本体１の物Ａの側面からの張り出し寸法を小さくできる。
また、図８（ｂ）に示すように、装置本体１を物Ａの上面Ｄに置き、物Ａの背面と壁Ｅの間の左右方向寸法が小さな狭い空間Ｆに放出体２を挿入して薬剤を放散できる。
【００４５】
次に、本発明の第２の実施の形態を説明する。
図９、図１０、図１１に示すように、この実施の形態は放出体２を装置本体１の上面１ａ側に接するように折り畳み状態とすることが前述の第１の実施の形態と相違し、他は同様である。
すなわち、装置本体１の上面１ａ（上面板１６の吐出口１２寄り）と放出体２の上下いずれかの面とに亘ってヒンジ３を取付けて装置本体１と放出体２を回動自在に連結している。
【００４６】
前記装置本体１と放出体２が開き状態の時には図９、図１０に示すように装置本体１の吐出口１２の開口端面１２ａと放出体２の流入口２０の開口端面２０ａが接して吐出口１２は放出体２の流出口２１から外部に開口すると共に、装置本体１と放出体２が一直線状となる。
前記装置本体１と放出体２が折り畳み状態の時には、図１１に示すように放出体２が装置本体１の上面１ａ側に接し、装置本体１の吐出口１２の開口端面１２ａと放出体２の流入口２０の開口端面２０ａが離隔して吐出口１２には直接外部に開口する。
また、放出体２で薬剤１４を保護することができる。
【００４７】
このようにした場合には、装置本体１と放出体２が折り畳み状態の時に、放出体２と装置本体１との間に前記吸込口１１を外部に連通して空気を吸い込みできるようにする通気路４０が形成される。
例えば、装置本体１の上面１ａにおける吸込口１１を境としてヒンジ３と反対側部分の上面１ａ−１（電池収容室１ｅの上面部分）を、他の部分の上面１ａ−２よりも高くする。
この他の部分の上面１ａ−２に、吸込口１１と薬剤取付部３３を形成し、その吸込口１１を覆うように薬剤１４を取付ける。
この薬剤１４の上面１４ｃは、前記反対側部分の上面１ａ−１よりも低く、他の部分の上面１ａ−２よりも高い。
前記放出体２は、その流入口２０側の長手方向一端部分２ａの高さ（上下寸法）が装置本体１の吐出口１２側部分の高さと同一で、それ以外の部分の高さは長手方向一端部分２ａの高さよりも低くする。
そして、折り畳み状態の時に放出体２の流出口２１側の長手方向他端部分２ｂが装置本体１の反対側部分の上面１ａ−１に接し、薬剤１４の上面１４ｃと放出体２の間に隙間を形成し、その隙間を前述の通気路４０とする。
【００４８】
この実施の形態では、装置本体１、放出体２の幅方向両側に一対のヒンジ３がそれぞれ設けてあり、この各ヒンジ３は前述の第１の実施の形態のヒンジ３と同様に第１・第２突出部３０，３１を軸３２で連結したものである。
これによって、装置本体１と放出体２が折り畳み状態の時に、一対のヒンジ３間における装置本体１の上面１ａと放出体２との間に隙間があり、この隙間を前述の通気路４０として利用できる。
【００４９】
前記放出体２の高さ方向の形状を前述のようにしたので、その放出体２をより狭い空間に挿入できるし、装置本体１の吐出口１２の開口端面１２ａと放出体２の流入口２０の開口端面２０ａが接して薬剤を含有した空気が吐出口１２から流入口２０にスムーズに流入する。
また、前記放出体２は、開き状態の時に下の面となる上下一方の面２ｃが装置本体１の下面１ｂと一直線に連続する直線面としてあるので、開き状態の時に安定して設置できる。
【００５０】
この第２の実施の形態における装置本体１、放出体２の高さ、幅、高さ方向の形状、幅方向の形状は、前述の第１の実施の形態で述べたと同様に種々のものとすることができる。
また、ヒンジ３も第１の実施の形態と同様に種々のものを利用できる。
また、装置本体１の吐出口１２の開口端面１２ａの角度、放出体２の流入口２０の開口端面２０ａの角度を９０度と異なる角度とすることで、装置本体１と放出体２の開き状態における角度を変更することができる。
例えば、装置本体１の吐出口１２の開口端面１２ａの角度、放出体２の流入口２０の開口端面２０ａの角度を４５度とすれば、装置本体１と放出体２の開き状態における角度を９０度として鉤形状とすることができる。
【００５１】
また、開き状態で装置本体１と放出体２を９０度とするのであれば、図１２に示すように、装置本体１の上面１ａに吐出口１２を開口させると共に、放出体２の流入口２０の開口端面２０ａを９０度とし、その開口端面２０ａを吐出口１２の開口端面１２ａ（上面１ａ）に接して装置本体１と放出体２が開き状態で９０度で鉤形状となるようにしても良い。
この場合に、装置本体１の上面１ａにおける吐出口１２の開口部分、つまり開口端面１２ａを斜めとすれば、装置本体１と放出体２を開き状態で９０度より大きな角度、小さな角度とすることができる。
また、ヒンジ３は蝶番タイプとし、装置本体１の上面１ａに凹部１ｇを形成し、この凹部１ｇ内にヒンジ３を取付けて放出体２を折り畳み状態に回動できるようにしてある。
【００５２】
前述のように、開き状態で装置本体１と放出体２を９０度とするのであれば、図示は省略するが、放出体２の幅を装置本体１の幅よりも大きくし、その放出体２の流入口２０寄りの両側面にヒンジ用の突出片を一体的に設け、この各突出片を装置本体１の両側面に回動自在に連結し、装置本体１と放出体２が開き状態の時に放出体２の流入口２０部分の内周面が装置本体１の吐出口１２の外周面に接して吐出口１２と流入口２０が連通するようにできる。
【００５３】
この第２の実施の形態における装置本体１と放出体２が折り畳み状態の時に、吸込口１１を外部に連通して空気を吸い込むための通気路４０は、前述に限ることはなく、種々の形状とすることができる。
例えば、図１２に示す装置本体１の上面１ａを平坦面とし、その上面１ａよりも薬剤１４が上方に突出している場合、図１２においては前述の第１の実施の形態と同様に薬剤１４をカバー３４で覆い、そのカバー３４に空気取入口３４ａが形成してあり、このカバー３４が最も上方に位置している。
前記放出体２に突片４１を設け、図１２に仮想線で示すように放出体２を折り畳み状態とした時に突片４１が上面１ａに当接してカバー３４と放出体２との間に隙間が形成されるようにし、その隙間を前述の通気路４０とする。
【００５４】
また、図１３に示すように折り畳み状態の時に放出体２の上下一方の面２ｄをカバー３４におけるヒンジ３寄り部分３４ｂに接し、その放出体２の面２ｄが装置本体１の上面１ａと平行に対して斜めとなり、その面２ｄとカバー３４との間に隙間が形成されるようにし、この隙間を前述の通気路４０とする。
【００５５】
また、放出体２の折り畳み状態の時に装置本体１に接する面に凹溝を形成し、この凹溝に沿って空気が流れることで吸込口１１に空気が吸い込まれるようにしても良い。
例えば、図１４〜図１６に示すように、装置本体１の上面１ａを凹凸のない平坦な面とし、ファン１３と対向した部分にスリット状の吸込口１１を形成する。
前記放出体２の上下一方の面２ｄに凹溝４２を形成し、装置本体１と放出体２を折り畳み状態とした時に図１５、図１６に示すように、装置本体１の上面１ａと放出体２の面２ｄが接すると共に、前記凹溝４２が前記吸込口１１と対向するようにし、その吸込口１１部分を前述の通気路４０とする。
【００５６】
この実施の形態では、薬剤１４が前述したようにファン１３に取付けてあり、ファン１３とともに薬剤１４が回転するようにしてある。
前記薬剤１４のファン１３への取付けとして、薬剤１４をファン１３の表面上に取付ける、薬剤１４をファン１３の内周面や外周面に取付ける、またはファン１３をモータから取り外して、そのファン１３に薬剤１４を取付けて再びモータに取付ける、などが挙げられる。また、薬剤を含有したファンとしてモータに取付けるようにもできる。
また、装置本体１の上面１ａにはファン収容室１ｄと電池収容室１ｅに開口した開口部４３が形成され、この開口部４３を蓋体４４で開閉自在としてある。
これによって、蓋体４４を外すことで薬剤１４、電池１ｆを交換できる。
【図面の簡単な説明】
【００５７】
【図１】本発明の第１の実施の形態を示す折り畳み状態の斜視図である。
【図２】本発明の第１の実施の形態を示す折り畳み状態の断面図である。
【図３】本発明の第１の実施の形態を示す開き状態の斜視図である。
【図４】本発明の第１の実施の形態を示す開き状態の断面図である。
【図５】装置本体の下面と放出体を接した状態の側面図である。
【図６】装置本体の下面と放出体を接した状態の正面図である。
【図７】装置本体と放出体を鉤形状とした断面図である。
【図８】その使用状態の説明図である。
【図９】本発明の第２の実施の形態を示す開き状態の斜視図である。
【図１０】本発明の第２の実施の形態を示す開き状態の断面図である。
【図１１】本発明の第２の実施の形態を示す折り畳み状態の断面図である。
【図１２】装置本体と放出体を鉤形状とした断面図である。
【図１３】通気路の他の実施の形態を示す断面図である。
【図１４】通気路の他の実施の形態を示す開き状態の斜視図である。
【図１５】通気路の他の実施の形態を示す折り畳み状態の斜視図である。
【図１６】通気路の他の実施の形態を示す折り畳み状態の断面図である。
【符号の説明】
【００５８】
１…装置本体、１ａ…上面、１ｂ…下面、２…放出体、３…ヒンジ、１１…吸込口、１２…吐出口、１２ａ…吐出口の開口端面、１３…ファン、１４…薬剤、２０…流入口、２０ａ…流入口の開口端面、２１…流出口、４０…通気路。
【図１】
2008182981.tif 000003
【図２】
2008182981.tif 000004
【図３】
2008182981.tif 000005
【図４】
2008182981.tif 000006
【図５】
2008182981.tif 000007
【図６】
2008182981.tif 000008
【図７】
2008182981.tif 000009
【図８】
2008182981.tif 000010
【図９】
2008182981.tif 000011
【図１０】
2008182981.tif 000012
【図１１】
2008182981.tif 000013
【図１２】
2008182981.tif 000014
【図１３】
2008182981.tif 000015
【図１４】
2008182981.tif 000016
【図１５】
2008182981.tif 000017
【図１６】
2008182981.tif 000018